(57)【要約】  針による穿刺深さを調整できる注射針と注射装置を提供することを目的とし、針と、上記針を先端側に突出させた状態で保持する針基と、上記針基の外周側に上記針基の軸方向に沿って移動可能に設置されたアジャスターと、を具備し、上記アジャスターの軸方向位置を調整することにより上記針の突出長さを調整するようにしたものであり、それによって、上記針による穿刺深さを調整することができ、突出長さが異なる複数種類の注射針を用意する必要もない。
2019203298.tif 000002
【特許請求の範囲】
【請求項１】
針と、
上記針を先端側に突出させた状態で保持する針基と、
上記針基の外周側に上記針基の軸方向に沿って移動可能に設置されたアジャスターと、
を具備し、
上記アジャスターの軸方向位置を調整することにより上記針の突出長さを調整するようにしたことを特徴とする注射針。
【請求項２】
請求項１記載の注射針において、
上記針の先端を上記アジャスター内に格納できるようにしたことを特徴とする注射針。
【請求項３】
請求項１又は請求項２記載の注射針において、
上記アジャスターは螺合構造により上記針基の軸方向に移動可能に構成されていることを特徴とする注射針。
【請求項４】
請求項３記載の注射針において、
上記針基に針基側基準位置マーカーが設けられているとともに、上記アジャスターにもアジャスター側基準位置マーカーが設けられていることを特徴とする注射針。
【請求項５】
請求項３又は請求項４記載の注射針において、
上記アジャスターの先端側への移動量はストッパー機構により一定量に制限されていることを特徴とする注射針。
【請求項６】
請求項５記載の注射針において、
上記ストッパー機構は上記アジャスター側の鍔部が上記針基側の雄ネジ部の端に当接することにより構成されていることを特徴とする注射針。
【請求項７】
請求項６記載の注射針において、
上記アジャスターには縦割溝が設けられていて、上記針基への装着時の拡径を可能にしていることを特徴とする注射針。
【請求項８】
請求項６記載の注射針において、
上記針基の雄ネジ部の横断面形状は非円形であり、上記アジャスターの鍔部の開口部の横断面形状も対応するように非円形であり、両者の回転方向位置を合せることにより上記雄ネジ部を上記アジャスター内に通すことができるように構成されていることを特徴とする注射針。
【請求項９】
請求項１〜請求項８の何れかに記載の注射針において、
上記針は複数本であることを特徴とする注射針。
【請求項１０】
請求項９記載の注射針において、
上記針の薬液流出口は上記針基の放射方向内側に指向していることを特徴とする注射針。
【請求項１１】
請求項１〜請求項１０の何れかに記載の注射針において、
上記針基には把持用張出部が設けられていることを特徴とする注射針。
【請求項１２】
請求項１〜請求項１１の何れかに記載の注射針において、
上記アジャスターの外周側には上記針を覆うようにキャップが被冠されることを特徴とする注射針。
【請求項１３】
請求項１２記載の注射針において、
上記キャップは上記アジャスターに嵌合されていてキャップを回転させることにより上記アジャスターを回転させることができるように構成されていることを特徴とする注射針。
【請求項１４】
請求項１３記載の注射針において、
上記アジャスターには係合用凸部が設けられていて、上記キャップには上記係合用凸部に係合する係合用開口部が設けられていることを特徴とする注射針。
【請求項１５】
請求項１２記載の注射針において、
上記キャップは上記アジャスターを包んで上記針基に回転を規制された状態で嵌合されることを特徴とする注射針。
【請求項１６】
請求項１５記載の注射針において、
上記キャップが上記針基に嵌合されている状態では上記キャップによって上記アジャスターを回転させることはできず、上記キャップを所定量引いて上記針基に対する嵌合を解除したとき上記キャップによって上記アジャスターを回転させることができるように構成されていることを特徴とする注射針。
【請求項１７】
請求項１４記載の注射針において、
上記キャップの背面側には上記アジャスターに嵌合されアジャスターを回転させることができる構成が設けられていることを特徴とする注射針。
【請求項１８】
シリンジと、
上記シリンジの先端に設置された請求項１〜請求項１７の何れかに記載の注射針と、
を具備したことを特徴とする注射装置。
【発明の詳細な説明】
【技術分野】
【０００１】
本発明は、例えば、皮下又は皮内に目的物質を投与して種々の疾患の予防や治療を行うための注射針と注射装置に係り、特に、針による穿刺深さを調整できるように工夫したものに関する。
【背景技術】
【０００２】
注射針と注射装置を開示するものとして、例えば、特許文献１がある。特許文献１に記載された経皮投薬装置は薬液注入針と注射器とから構成されている。上記薬液注入針には樹脂製の薬液注入針本体がある。この薬液注入針本体は円柱形状をなしていて、その基端側には中空部が形成されている。又、上記薬液注入針本体には３つの通孔が形成されていて、それら通孔には針がそれぞれ挿入・固定されている。【０００３】
一方、上記注射器は注射器本体とプランジャーとから構成されている。上記注射器本体の先端側を上記薬液注入針本体の中空部内に挿入することにより、上記薬液注入針が上記注射器に取り付けられる。【０００４】
そして、上記プランジャーを押圧して注射器本体内から薬液を吐出させると、上記薬液は上記薬液注入針本体の中空部から上記針内に入り、上記針の先端から皮下又は皮内に注入される。
又、使用前には上記薬液注入針は針ホルダーによってカバーされている。
【先行技術文献】
【特許文献】
【０００５】
【特許文献１】特許第５８９０４３０号公報
【発明の概要】
【発明が解決しようとする課題】
【０００６】
しかしながら、上記従来の構成によると次のような問題があった。
針の皮下又は皮内への穿刺深さは様々であり一定ではない。一方、特許文献１に記載された経皮投薬装置の場合は、薬液注入針本体に固定されている針の突出長さ、すなわち、薬液注入針本体から突出している針の突出長さは固定されており、当然のことながら穿刺深さも固定される。その為、様々な穿刺深さに対応するためには、薬液注入針本体からの針の突出長さが異なる複数種類の薬液注入針を用意しなければならないという問題があった。【０００７】
本発明はこのような点に基づいてなされたものでその目的とするところは、針による穿刺深さを調整できる注射針と注射装置を提供することにある。
【課題を解決するための手段】
【０００８】
上記課題を解決するべく本願発明の請求項１による注射針は、針と、上記針を先端側に突出させた状態で保持する針基と、上記針基の外周側に上記針基の軸方向に沿って移動可能に設置されたアジャスターと、を具備し、上記アジャスターの軸方向位置を調整することにより上記針の突出長さを調整するようにしたことを特徴とするものである。
又、請求項２による注射針は、請求項１記載の注射針において、上記針の先端を上記アジャスター内に格納できるようにしたことを特徴とするものである。
又、請求項３による注射針は、請求項１又は請求項２記載の注射針において、上記アジャスターは螺合構造により上記針基の軸方向に移動可能に構成されていることを特徴とするものである。
又、請求項４による注射針は、請求項３記載の注射針において、上記針基に針基側基準位置マーカーが設けられているとともに、上記アジャスターにもアジャスター側基準位置マーカーが設けられていることを特徴とするものである。
又、請求項５による注射針は、請求項３又は請求項４記載の注射針において、上記アジャスターの先端側への移動量はストッパー機構により一定量に制限されていることを特徴とするものである。
又、請求項６による注射針は、請求項５記載の注射針において、上記ストッパー機構は上記アジャスター側の鍔部が上記針基側の雄ネジ部の端に当接することにより構成されていることを特徴とするものである。
又、請求項７による注射針は、請求項６記載の注射針において、上記アジャスターには縦割溝が設けられていて、上記針基への装着時の拡径を可能にしていることを特徴とするものである。
又、請求項８による注射針は、請求項６記載の注射針において、上記針基の雄ネジ部の横断面形状は非円形であり、上記アジャスターの鍔部の開口部の横断面形状も対応するように非円形であり、両者の回転方向位置を合せることにより上記雄ネジ部を上記アジャスター内に通すことができるように構成されていることを特徴とするものである。
又、請求項９による注射針は、請求項１〜請求項８の何れかに記載の注射針において、上記針は複数本であることを特徴とするものである。
又、請求項１０による注射針は、請求項９記載の注射針において、上記針の薬液流出口は上記針基の放射方向内側に指向していることを特徴とするものである。
又、請求項１１による注射針は、請求項１〜請求項１０の何れかに記載の注射針において、上記針基には把持用張出部が設けられていることを特徴とするものである。
又、請求項１２による注射針は、請求項１〜請求項１１の何れかに記載の注射針において、上記アジャスターの外周側には上記針を覆うようにキャップが被冠されることを特徴とするものである。
又、請求項１３による注射針は、請求項１２記載の注射針において、上記キャップは上記アジャスターに嵌合されていてキャップを回転させることにより上記アジャスターを回転させることができるように構成されていることを特徴とするものである。
又、請求項１４による注射針は、請求項１３記載の注射針において、上記アジャスターには係合用凸部が設けられていて、上記キャップには上記係合用凸部に係合する係合用開口部が設けられていることを特徴とするものである。
又、請求項１５による注射針は、請求項１２記載の注射針において、上記キャップは上記アジャスターを包んで上記針基に回転を規制された状態で嵌合されることを特徴とするものである。
又、請求項１６による注射針は、請求項１５記載の注射針において、上記キャップが上記針基に嵌合されている状態では上記キャップによって上記アジャスターを回転させることはできず、上記キャップを所定量引いて上記針基に対する嵌合を解除したとき上記キャップによって上記アジャスターを回転させることができるように構成されていることを特徴とするものである。
又、請求項１７による注射針は、請求項１５記載の注射針において、上記キャップの背面側には上記アジャスターに嵌合されアジャスターを回転させることができる構成が設けられていることを特徴とするものである。
又、請求項１８による注射装置は、シリンジと、上記シリンジの先端に設置された請求項１〜請求項１７の何れかに記載の注射針と、を具備したことを特徴とするものである。
【発明の効果】
【０００９】
上記課題を解決するべく本願発明の請求項１による注射針によると、針と、上記針を先端側に突出させた状態で保持する針基と、上記針基の外周側に上記針基の軸方向に沿って移動可能に設置されたアジャスターと、を具備し、上記アジャスターの軸方向位置を調整することにより上記針の突出長さを調整するようにしたので、上記針による穿刺深さを調整することができ、従来のように突出長さが異なる複数種類の注射針を用意する必要がなくなった。
又、請求項２による注射針によると、請求項１記載の注射針において、上記針の先端を上記アジャスター内に格納できるようにしたので、例えば、注射後にキャップを取り付けるまでもなく、例えば、医師や看護師といった使用者の二度穿刺（穿刺後の誤穿刺）による針刺し事故を防止することができる。
又、請求項３による注射針によると、請求項１又は請求項２記載の注射針において、上記アジャスターは螺合構造により上記針基の軸方向に移動可能に構成されているので、上記針による穿刺深さを簡単な操作により調整できる。
又、請求項４による注射針によると、請求項３記載の注射針において、上記針基に針基側基準位置マーカーが設けられているとともに、上記アジャスターにもアジャスター側基準位置マーカーが設けられているので、上記針基側基準位置マーカーと上記アジャスター側基準位置マーカーの回転方向の位置関係によって上記アジャスターの回転数を正確に知ることができ、それにより上記針による穿刺深さを容易に、且つ、正確に調整できる。
又、請求項５による注射針によると、請求項３又は請求項４記載の注射針において、上記アジャスターの先端側への移動量はストッパー機構により一定量に制限されているので、上記アジャスターの先端側への脱落を防止できる。
又、請求項６による注射針によると、請求項５記載の注射針において、上記ストッパー機構は上記アジャスター側の鍔部が上記針基側の雄ネジ部の端に当接することにより構成されているので、簡単な構成によりストッパー機構を構成することができる。
又、請求項７による注射針によると、請求項６記載の注射針において、上記アジャスターには縦割溝が設けられていて、上記針基への装着時の拡径を可能にしているので、ストッパー機構の一部である鍔部を設けてもアジャスターの針基への取付が可能になり容易に組み立てることができる。
又、請求項８による注射針によると、請求項６記載の注射針において、上記針基の雄ネジ部の横断面形状は非円形であり、上記アジャスターの鍔部の開口部の横断面形状も対応するように非円形であり、両者の回転方向位置を合せることにより上記雄ネジ部を上記アジャスター内に通すことができるように構成されているので、これによっても、ストッパー機構の一部である鍔部を設けてもアジャスターの針基への取付が可能になり容易に組み立てることができる。
又、請求項９による注射針によると、請求項１〜請求項８の何れかに記載の注射針において、上記針は複数本であるので、より効率良く注射を行うことができる。
又、請求項１０による注射針によると、請求項９記載の注射針において、上記針の薬液流出口は上記針基の放射方向内側に指向しているので、注射した薬剤が広く拡散し、且つ、皮膚の浅い部位に留まるようにすることができる。
又、請求項１１による注射針によると、請求項１〜請求項１０の何れかに記載の注射針において、上記針基には把持用張出部が設けられているので、例えば、シリンジの先端に注射針を取り付ける際、上記把持用張出部を把持して作業することができるので、アジャスターの不用意な回転を防止することができる。
又、請求項１２による注射針によると、請求項１〜請求項１１の何れかに記載の注射針において、上記アジャスターの外周側には上記針を覆うようにキャップが被冠されるように構成されているので、針刺し事故を防止することができる。
又、請求項１３による注射針によると、請求項１２記載の注射針において、上記キャップは上記アジャスターに嵌合されていてキャップを回転させることにより上記アジャスターを回転させることができるように構成されているので、キャップにより蓋をしたままの状態でアジャスターを回転させて針の突出量の調整を行うことができる。それによっても針刺し事故を防止することができる。
又、請求項１４による注射針によると、請求項１３記載の注射針において、上記アジャスターには係合用凸部が設けられていて、上記キャップには上記係合用凸部に係合する係合用開口部が設けられているので、係合用開口部を係合用凸部に係合させることにより、キャップにより蓋をしたままの状態でアジャスターを回転させて針の突出量の調整を行うことができる。それによっても針刺し事故を防止することができる。
又、請求項１５による注射針によると、請求項１２記載の注射針において、上記キャップは上記アジャスターを包んで上記針基に回転を規制された状態で嵌合されているので、例えば、シリンジの先端に注射針を取り付ける際、上記キャップを把持して作業することができ、その際、アジャスターを不用意に回転させるようなこともない。
又、請求項１６による注射針によると、請求項１５記載の注射針において、上記キャップが上記針基に嵌合されている状態では上記キャップによって上記アジャスターを回転させることはできず、上記キャップを所定量引いて上記針基に対する嵌合を解除したとき上記キャップによって上記アジャスターを回転させることができるように構成されているので、キャップを所定量引くだけで、キャップ毎アジャスターを回転させて針の突出量の調整を行うことができる。それによっても針刺し事故を防止することができる。
又、請求項１７による注射針によると、請求項１５記載の注射針において、上記キャップの背面側には上記アジャスターに嵌合されアジャスターを回転させることができる構成が設けられているので、その構成を使用してキャップをしたままの状態でアジャスターを回転させて針の突出量の調整を行うことができる。
又、請求項１８による注射装置によると、シリンジと、上記シリンジの先端に設置された請求項１〜請求項１７の何れかに記載の注射針と、を具備した構成になっているので、上記針による穿刺深さを調整できる注射装置を提供することができる。
【図面の簡単な説明】
【００１０】
【図１】本発明の第１の実施の形態を示す図で、注射装置の平面図である。
【図２】本発明の第１の実施の形態を示す図で、注射針を先端側から視た斜視図である。
【図３】本発明の第１の実施の形態を示す図で、注射針を基端側から視た斜視図である。
【図４】本発明の第１の実施の形態を示す図で、図２のＩＶ−ＩＶ断面図である。
【図５】本発明の第１の実施の形態を示す図で、注射針の針と針基を先端側から視た斜視図である。
【図６】本発明の第１の実施の形態を示す図で、注射針の針と針基を基端側から視た斜視図である。
【図７】本発明の第１の実施の形態を示す図で、注射針のアジャスターを先端側から視た斜視図である。
【図８】本発明の第１の実施の形態を示す図で、注射針のアジャスターを基端側から視た斜視図である。
【図９】本発明の第１の実施の形態を示す図で、アジャスターを前進させて針の突出長さを短くした状態の注射針の縦断面図である。
【図１０】本発明の第１の実施の形態を示す図で、アジャスターをさらに前進させて針をアジャスター内に格納した状態の注射針の縦断面図である。
【図１１】本発明の第１の実施の形態を示す図で、先端側にキャップを取り付けて針を覆った状態の注射針を示す斜視図である。
【図１２】本発明の第１の実施の形態を示す図で、図１１のＸＩＩ−ＸＩＩ断面図である。
【図１３】本発明の第２の実施の形態を示す図で、アジャスターを基端まで後退させた状態の注射針の縦断面図である。
【図１４】本発明の第２の実施の形態を示す図で、アジャスターを先端まで前進させた状態の注射針の縦断面図である。
【図１５】本発明の第２の実施の形態を示す図で、注射針を先端側から視た斜視図である。
【図１６】本発明の第３の実施の形態を示す図で、注射装置の平面図である。
【図１７】本発明の第３の実施の形態を示す図で、アジャスターを基端まで後退させた状態の注射針を先端側から視た斜視図である。
【図１８】本発明の第３の実施の形態を示す図で、アジャスターを基端まで後退させた状態の注射針を基端側から視た斜視図である。
【図１９】本発明の第３の実施の形態を示す図で、図１７のＸＩＸ−ＸＩＸ断面図である。
【図２０】本発明の第３の実施の形態を示す図で、アジャスターを先端まで前進させた状態の注射針を先端側から視た斜視図である。
【図２１】本発明の第３の実施の形態を示す図で、アジャスターを先端まで前進させた状態の注射針を基端端側から視た斜視図である。
【図２２】本発明の第３の実施の形態を示す図で、図２０のＸＸＩＩ−ＸＸＩＩ断面図である。
【図２３】本発明の第３の実施の形態を示す図で、注射針のアジャスターを先端側から視た斜視図である。
【図２４】本発明の第３の実施の形態を示す図で、注射針のアジャスターを基端側から視た斜視図である。
【図２５】本発明の第３の実施の形態を示す図で、注射針の針基を先端側から視た斜視図である。
【図２６】本発明の第３の実施の形態を示す図で、注射針の針基を基端側から視た斜視図である。
【図２７】本発明の第３の実施の形態を示す図で、図２７（ａ）はキャップを先端側から視た斜視図、図２７（ｂ）はキャップを基端側から視た斜視図、図２７（ｃ）はキャップの縦断面図である。
【図２８】本発明の第３の実施の形態を示す図で、図２８（ａ）はキャップ付の注射針を先端側から視た斜視図、図２８（ｂ）はキャップ付の注射針を基端側から視た斜視図、図２８（ｃ）はキャップ付の注射針の縦断面図である。
【図２９】本発明の第４の実施の形態を示す図で、図２９（ａ）はキャップの斜視図、図２９（ｂ）はキャップの針基側嵌合部を針基に嵌合させた状態を示す斜視図、図２９（ｃ）はキャップを逆向きにしてアジャスター側嵌合部をアジャスターに嵌合させた状態を示す斜視図である。
【発明を実施するための形態】
【００１１】
以下、図１乃至図１２を参照して本発明の第１の実施の形態について説明する。この第１の実施の形態による注射装置１は、図１に示すように、シリンジ３とこのシリンジ３の先端に着脱可能に取り付けられた注射針５とから構成されている。
【００１２】
上記シリンジ３は、先端側（図１中左側）と基端側（図１中右側）に開口された中空形状の注射筒７とこの注射筒７内に基端側（図１中右側）から挿入されたプランジャー９とから構成されている。上記注射筒７の先端側（図１中左側）は縮径されていて、注射針接続部１１となっている。上記プランジャー９は上記注射筒７内を前後方向（図１中左右方向）に移動可能に設置されている。上記注射筒７内には図示しない薬液が充填され、上記プランジャー９を先端側（図１中左側）に移動させることにより上記薬液を上記注射筒７の先端から吐出させる。
【００１３】
上記注射針５は、図１乃至図４に示すように、針基２１とこの針基２１の先端側（図４中左側）に突出した状態で取り付けられた４本の針２３、２３、２３、２３とアジャスター２５とから構成されている。
【００１４】
上記針基２１の基端側には、図４に示すように、シリンジ接続用凹部２７が形成されている。このシリンジ接続用凹部２７に上記シリンジ３の注射針接続部１１が挿入される。又、図２、図４、図５に示すように、上記針基２１には、上記シリンジ接続用凹部２７内と先端側（図４中左側）に開口された４個の針固定用貫通孔２９、２９、２９、２９が形成されている。上記針２３、２３、２３、２３は、これら針固定用貫通孔２９、２９、２９、２９内に貫通・配置され、上記針固定用貫通孔２９、２９、２９、２９内に注入された接着剤３１、３１、３１、３１によって固定されている。又、上記針２３、２３、２３、２３の薬液流出口２３ａは斜めにカットされていて上記針基２１の放射方向内側に指向している。
【００１５】
又、図４、図５、図６に示すように、上記針基２１の先端側（図４中左側）には雄ネジ部３３が形成されている。又、図５、図６に示すように、上記雄ネジ部３３の図５中上下端側は成形上の理由から切り欠かれている。図中切欠部を符号３４、３４で示す。又、図４、図５、図６に示すように、上記針基２１の基端部（図４中右端部）には、凸部３５、３５が１８０°対向する位置にそれぞれ突出・形成されている。又、上記針基２１の軸方向（図４中左右方向）中央よりやや後方（図４中右側）には、基端側ストッパー３７、３７が１８０°対向する位置にそれぞれ突出・形成されている。
【００１６】
上記アジャスター２５は、図４、図７、図８に示すように、筒状の部材であり、内周面には上記針基２１の雄ネジ部３３に螺合する雌ネジ部３９が形成されている。上記アジャスター２５は、上記雌ネジ部３９と上記針基２１の雄ネジ部３３との螺合構造により、上記針基２１に軸方向に沿って移動可能に取り付けられている。
【００１７】
上記アジャスター２５を回転操作して上記針基２１の軸方向（図４中左右方向）に沿って移動させることにより、図４、図９、図１０に示すように、上記針２３、２３、２３、２３の突出長さ（図４中符号Ｌで示す）ひいては上記針２３、２３、２３、２３による穿刺深さを調整する。上記アジャスター２５が図４中右端に位置しその基端が基端側ストッパー３７、３７に当接した状態では、上記針２３、２３、２３、２３の突出長さ（Ｌ）は最大（Ｌｍａｘ）になっている。
因みに、本実施の形態の場合には図４に示す状態における針２３の最大突出長さ（Ｌｍａｘ）を、例えば、４ｍｍに設定している。
【００１８】
その状態から上記アジャスター２５を図４中左端を真正面に視て反時計方向に回転させて図４中左方向に移動させていくことにより、針２３、２３、２３、２３が徐々に上記アジャスター２５内に格納されていき、針２３、２３、２３、２３の突出長さ（Ｌ）は徐々に短くなっていく。
尚、実際に使用する際は、有効に穿刺を行うことができるように、上記針２３、２３、２３、２３の突出長さ（Ｌ）を、例えば、最低でも１ｍｍ程度とする。
又、穿刺後は、図１０に示すように、上記針２３、２３、２３、２３が上記アジャスター２５の内側に完全に格納されるまで上記アジャスター２５を先端側に移動させる。それによって、医師や看護師といった使用者の二度穿刺（穿刺後の誤穿刺）による針刺し事故を防止する。
因みに、図１０において、針２３、２３、２３、２３の先端は上記アジャスター２５の先端から、例えば、少なくとも１〜３ｍｍ程度内側に引っ込んだ状態にある。
【００１９】
又、図１１に示すように、上記針基２１には針基側基準位置マーカー４０ａが突出・形成されており、上記アジャスター２５にもアジャスター側基準位置マーカー４０ｂが突出・形成されている。上記アジャスター２５が最も基端側にあるとき（図４に示す状態）に上記針基側基準位置マーカー４０ａと上記アジャスター側基準位置マーカー４０ｂの回転方向の位置が一致するように設定されている。
【００２０】
例えば、上記アジャスター２５を上記初期状態から先端側に移動させていく場合、上記針基側基準位置マーカー４０ａと上記アジャスター側基準位置マーカー４０ｂにより、上記アジャスター２５が何回転したかを視認することができる。その回転数と上記雄ネジ部３３と雌ネジ部３９とからなる螺合構造のリードから上記針２３、２３、２３、２３の突出量を任意の値に設定することができる。すなわち、図４に示す初期状態における針２３、２３、２３、２３の最大突出長さ（Ｌｍａｘ）はわかっており（この実施の形態の場合には４ｍｍ）、一方、上記アジャスター２５の回転数からアジャスター２５の先端側への移動量もわかる。よって、初期最大突出長さ（Ｌｍａｘ）からその移動量（図９中符号Ｌ´で示す）を差し引けば、上記針２３、２３、２３、２３の突出長さ（Ｌ）ひいては穿刺深さを設定することができる。
【００２１】
又、図１１、図１２に示すように、使用前には、キャップ４１が上記注射針５のアジャスター２５の先端側（図１２中左側）に着脱可能に被冠されている。上記キャップ４１には係合用開口部４３、４３が１８０°対向する位置に形成されているとともに、上記アジャスター２５の外周側には係合用凸部４５、４５が１８０°対向する位置に突出・形成されている。上記キャップ４１の係合用開口部４３、４３を上記アジャスター２５の係合用凸部４５、４５に係合させることにより上記キャップ４１を上記アジャスター２５に固定する。
【００２２】
尚、図１２に示すように、上記針２３、２３、２３、２３が上記アジャスター２５の先端側（図１２中左側）に突出された初期状態であっても、上記針２３、２３、２３、２３の先端が上記キャップ４１の内面に当接することはない。
【００２３】
次に、この第１の実施の形態による作用について説明する。
まず、使用前には、上記注射針５は、図１１、図１２に示すような状態にある。
次に、上記シリンジ３の注射筒７内に薬液を充填する。
次に、上記注射針５を上記シリンジ３の注射筒７に取り付ける。
次に、上記キャップ４１を取り外し、図１〜図４に示すような使用可能な状態とする。この状態では針２３、２３、２３、２３はその突出長さ（Ｌ）が最大突出長さ（Ｌｍａｘ）の状態にある。
【００２４】
次に、アジャスター２５を図１〜図４中左端を真正面から視て反時計方向に回転させ上記アジャスター２５を図１〜図４中左側に適当量移動させ、針２３、２３、２３、２３の突出長さ（Ｌ）ひいては上記針２３、２３、２３、２３による穿刺深さを任意に調整する。
【００２５】
次に、上記注射装置１の針２３、２３、２３、２３側を図示しない穿刺対象物としての皮膚に向け、上記針２３、２３、２３、２３を上記皮膚に対して垂直穿刺させる。このとき、上記アジャスター２５の先端面（図１〜図４中左側の面）が皮膚に当接し所定の穿刺深さでの穿刺が実行される。
次に、上記シリンジ３のプランジャー９を先端側（図１〜図４中左側）に押圧・付勢し、上記薬液を注入する。
【００２６】
注射が終わったら、上記針２３、２３、２３、２３を上記皮膚から離間させる。その後、上記アジャスター２５を図１〜図４中左端を真正面から視て反時計方向に回転させて先端側（図１〜図４中左側）に移動させ、図１０に示すように、上記針２３、２３、２３、２３の先端側を上記アジャスター２５内に格納する。これにより二度穿刺（穿刺後の誤穿刺）を防止する。さらに、先端にキャップ４１を被冠して蓋をし、そのまま注射装置１全体を廃棄する、或いは、注射針５をシリンジ３から外して注射針５のみを廃棄する。
【００２７】
次に、この第１の実施の形態による効果について説明する。
まず、針２３、２３、２３、２３の突出長さ（Ｌ）ひいては穿刺深さを任意に調整することができる。これは、針基２１の外周側にアジャスター２５を移動可能に取り付けてその軸方向位置を任意に調整可能に構成したからである。
又、針２３、２３、２３、２３の突出長さ（Ｌ）ひいては穿刺深さを任意に調整可能としたことにより、突出長さが異なる複数種類の注射針５を用意する必要もなく、コストの低減はもとより注射針５の管理の容易化を図ることができる。
又、図１０に示すように、穿刺後には、上記針２３、２３、２３、２３の先端を上記アジャスター２５内に格納することができ、それによって、キャップ４１を取り付けるまでもなく、医師や看護師といった使用者の二度穿刺（穿刺後の誤穿刺）による針刺し事故を防止することができる。
又、キャップ４１を取り付けることにより安全性をさらに高めることができる。
又、使用前には上記アジャスター２５の先端側にキャップ４１が被冠されているため、例えば、使用前における使用者の怪我等を防止することができる。
又、上記アジャスター２５は針基２１の外周側に螺合構造により移動可能に取り付けられているので、アジャスター２５を容易に移動させることができ、それによって、上記針２３、２３、２３、２３の突出長さ（Ｌ）ひいては穿刺深さの調整作業の容易化を図ることができる。
又、上記針基２１には針基側基準位置マーカー４０ａが形成されているとともに、上記アジャスター２５にもアジャスター側基準位置マーカー４０ｂが形成されているので、上記アジャスター２５の回転数を視認することができ、それによって、上記針２３、２３、２３、２３の突出長さ（Ｌ）ひいては穿刺深さを正確に調整することができる。
又、上記針２３、２３、２３、２３の薬液流出口２３ａは上記針基２１の放射方向内側に指向しているため、注射した薬剤が広く拡散し、且つ、皮膚の浅い部位に留まるようにすることができる。
【００２８】
次に、図１３乃至図１５を参照しながら、本発明の第２の実施の形態について説明する。前記第１の実施の形態の場合には、アジャスター２５の先端側への移動量についてこれを特に制限する構成にはなっていなかったが、この第２の実施の形態の場合には、これを一定量に制限するように構成している。以下、説明する。
【００２９】
まず、図１３に示すように、アジャスター２５の基端側（図１３中右端側）にアジャスター側ストッパー５１が設けられている。このアジャスター側ストッパー５１は環状であって鍔状に設けられている。一方、針基２１に設けられている雄ねじ部３３の基端部（図１３中右端側）が針基側ストッパー５３として機能する。そして、上記アジャスター２５を先端側（図１３中左側）に移動させていき、図１４に示すように、上記アジャスター側ストッパー５１が針基側ストッパー５３に当接することによりアジャスター２５の先端側（図１４中左側）へのそれ以上の移動が制限される。それによって、針２３、２３、２３、２３の上記アジャスター２５内への確実な格納と、アジャスター２５の針基２１からの脱落防止を図る。
【００３０】
又、上記アジャスター２５にアジャスター側ストッパー５１を設けたことにより、アジャスター２５の針基２１への装着が懸念される。そこで、図１５に示すように、上記アジャスター２５に縦割溝５５を設けている。上記アジャスター２５を上記針基２１に装着する場合には、上記縦割溝５５の範囲内でアジャスター２５を若干拡径させて行う。
尚、その他の構成は前記第１の実施の形態の場合と同じであり、図中同一部分には同一符号を付して示しその説明を省略する。
【００３１】
上記構成によると、前記第１の実施の形態の場合と同様の効果を奏することができる。
又、上記アジャスター２５の先端側への移動量を一定量に制限しているので、上記アジャスター２５の針基２１からの不用意な脱落を防止することかできる。
又、使用者は、上記アジャスター２５を上記アジャスター側ストッパー５１が針基側ストッパー５３に当接するまで前進させることにより、針２３、２３、２３、２３が二度穿刺（穿刺後の誤穿刺）を防止できる位置まで上記アジャスター２５内に格納されたことを確認することができる。
【００３２】
次に、図１６乃至図２８を参照して本発明の第３の実施の形態を説明する。この第３の実施の形態による注射針１０５は、図１６乃至図２２に示すように、針基１２１とこの針基１２１の先端側（図４中左側）に突出した状態で取り付けられた４本の針１２３、１２３、１２３、１２３とアジャスター１２５とから構成されている。
【００３３】
上記針基１２１の基端側には、図１９に示すように、シリンジ接続用凹部１２７が形成されている。このシリンジ接続用凹部１２７に上記シリンジ３の注射針接続部１１が挿入される。又、図１７、図１９に示すように、上記針基１２１には、上記シリンジ接続用凹部２７内と先端側（図２５中左側）に開口された４個の針固定用貫通孔１２９、１２９、１２９、１２９が形成されている。
【００３４】
上記針１２３、１２３、１２３、１２３は上記針固定用貫通孔１２９、１２９、１２９、１２９内に貫通・配置され、上記針固定用貫通孔１２９、１２９、１２９、１２９内に注入された接着剤１３１、１３１、１３１、１３１によって固定されている。又、図１７、図１９に示すように、上記針１２３、１２３、１２３、１２３の薬液流出口１２３ａは斜めにカットされていて上記針基１２１の放射方向内側に指向している。
【００３５】
又、図１９に示すように、上記針基１２１の先端側（図１９中左側）には雄ネジ部１３３が形成されている。又、図２５、図２６に示すように、上記雄ネジ部１３３の両側部は切り欠かれていて切欠部１３４、１３４となっている。又、図１９、図２０、図２１に示すように、上記針基１２１の基端（図４中右端）には、凸部１３５、１３５が１８０°対向する位置にそれぞれ突出・形成されている。又、上記針基１２１の軸方向（図１９中左右方向）中央よりやや後方（図１９中右側）には把持用張出部１３７が略菱形で鍔状に突出・形成されている。この把持用張出部１３７は上記アジャスター１２５の基端側への後退を一定量に規制するストッパーとしても機能する。又、上記針基１２１には、図２０、図２１、図２５、図２６に示すように、成形時のひけ（収縮による窪み）防止を目的として４個の凹部１３９、１３９、１３９、１３９が直交する方向にそれぞれ設けられている。
【００３６】
上記アジャスター１２５は、図１７、図１８、図１９に示すように、鍔部１４１とこの鍔部１４１に固着された円筒部１４３とから構成されている。上記鍔部１４１の円筒面には開口部１４５、１４５が１８０°対向する位置に形成されている。又、上記円筒部１４３の上記鍔部１４１側端部には爪１４７、１４７が１８０°対向する位置に突設されている。上記円筒部１４３を上記鍔部１４１の内径部内に挿し込むことにより上記爪１４７、１４７が上記開口部１４５、１４５に係合し、それによって、上記円筒部１４３が鍔部１４１に一体化される。
【００３７】
又、図２４に示すように、鍔部１４１の開口部１４２は円形の両側部を欠いた形状になっていて平坦面１４４、１４４となっている。これは上記針基１２１の雄ネジ部１３３の形状に対応する。アジャスター１２５内に針基１２１の雄ネジ部１３３を通す場合には、針基１２１の雄ネジ部１３３の切欠部１３４、１３４の位置とアジャスター１２５の鍔部１４１の開口部１４２の平坦面１４４、１４４の位置を一致させる。又、取り付けた後、上記アジャスター１２５を回転させて先端側に移動させる際、上記鍔部１４１が上記雄ネジ部１３３の端に当接することによりストッパー機能が発揮されそれ以上の移動は規制される。針基１２１の雄ネジ部１３３の切欠部１３４、１３４の位置とアジャスター１２５の鍔部１４１の開口部１４２の平坦面１４４、１４４の位置が一致すれば抜くことはできるが回転させながら移動させることはできない。
【００３８】
上記円筒部１４３の内周面には上記針基１２１の雄ネジ部１３３に螺合する雌ネジ部１４９が形成されている。上記アジャスター１２５は上記雌ネジ部１４９と上記針基１２１の雄ネジ部１３３との螺合構造により、上記針基１２１の軸方向に沿って移動可能に取り付けられている。
【００３９】
図１６〜図１８、図２０、図２１に示すように、上記円筒部１４３の外周面であって直交する４箇所にはリブ状のガイド用凸部１５１、１５１、１５１、１５１が突設されている。又、上記ガイド用凸部１５１、１５１、１５１、１５１の上記鍔部１４１側の端部には係合用凸部１５３、１５３、１５３、１５３が突設されている。
【００４０】
一方、図２７、図２８に示すように、キャップ１５５がありそのキャップ１５５の内周面には上記ガイド用凸部１５１、１５１、１５１、１５１に回転方向から係合するガイド用凸部１５７、１５７、１５７、１５７が設けられている。すなわち、上記キャップ１５５を上記アジャスター１２５に被冠すると、アジャスター１２５側のガイド用凸部１５１、１５１、１５１、１５１の間にキャップ１５５側のガイド用凸部１５７、１５７、１５７、１５７が位置することになる。又、上記ガイド用凸部１５７、１５７、１５７、１５７は縦長Ｖ字状に設けられている。それによってガイド機能が効果的に発揮され上記キャップ１５５の上記アジャスター１２５への被冠が円滑になされる。又、上記ガイド用凸部１５７、１５７、１５７、１５７の間には係合用開口部１５９、１５９、１５９、１５９が設けられている。これら係合用開口部１５９、１５９、１５９、１５９が上記係合用凸部１５３、１５３、１５３、１５３に係合する。
キャップ１５５を注射針１０５に被冠した状態を図２８に示す。
尚、その他の構成は前記第１の実施の形態の場合と同じであり、図中同一部分には同一符号を付して示しその説明を省略する。
【００４１】
よって、前記第１の実施の形態の場合と略同様の効果を奏することができる。
又、把持用張出部１３７が設けられているので、例えば、シリンジ３の先端に注射器５を取り付ける際、左手で上記把持用張出部１３７を把持するとともに右手でシリンジ３を把持し、注射針接続部１１を注射針接続用凹部１２７内に挿し込んでいくことにより取り付けることができ、キャップ１５５やアジャスター１２５を把持する必要がないので、アジャスター１２５を不用意に回転させてきつくしてしまうこともない。
【００４２】
次に、図２９を参照して本発明の第４の実施の形態を説明する。前記第１〜第３の実施の形態の場合には、キャップを注射針のアジャスターに回転を規制した状態で嵌合させる構成としたが、この第４の実施の形態の場合には、針基側に回転を規制させた状態で嵌合させるように構成している。以下、説明する。
【００４３】
図２９（ａ）に示すように、キャップ２０１はキャップ本体２０３を備えていて、このキャップ本体２０３の一端側には針基側嵌合部２０５が設けられているとともに、他端側にはアジャスター側嵌合部２０７が設けられている。上記針基側嵌合部２０５には係合部２０９、２０９が１８０°対向する位置に設けられている。これら係合部２０９、２０９が、図２９（ｂ）に示すように、針基１２１の把持用張出部１３７の係合部２１１、２１１に係合する。
【００４４】
上記針基側嵌合部には直交する４箇所に係合用開口部２１３、２１３、２１３、２１３が形成されていて、これら係合用開口部２１３、２１３、２１３、２１３はアジャスター１２５に設けられた４個の係合用凸部（第３の実施の形態における係合用凸部１５３と同様の係合用凸部）に係合する。
【００４５】
上記アジャスター側嵌合部２０７にも直交する４箇所に係合用開口部２１５、２１５、２１５、２１５が形成されていて、これら係合用開口部２１５、２１５、２１５、２１５もアジャスター１２５に設けられた上記４個の係合用凸部に係合する。
尚、その他の構成は前記第３の実施の形態と同じであり、図中同一部分には同一符号を付して示しその説明は省略する。
【００４６】
上記構成によると、常時は図２９（ｂ）に示すような状態にあり、キャップ２０１の針基側嵌合部２０５が注射針のアジャスター１２５を包んで針基１２１の一部に嵌合されていて、その係合部２０９、２０９が針基１２１の把持用張出部１３７の係合部２１１、２１１に係合している。この状態でシリンジの先端に注射針１０５を取り付ける場合には、左手でキャップ２０１を把持し右手でシリンジを把持し、シリンジの注射針取付部を針基１２１のシリンジ取付用凹部１２７内に挿し込む。その際、キャップ２０１が把持用張出部１２７ひいては針基１２１に固定されているので不用意に回転することはなく、よって、アジャスター１２５が不用意に回転することもない。
【００４７】
次に、針の突出長さを調整する場合について説明する。この場合には、図２９（ｃ）に示すように、キャップ２０１のアジャスター側嵌合部２０７をアジャスター１２５に嵌合させる。その状態で、キャップ２０１を把持してアジャスター１２５を回転させ針の突出長さを調整する。それによって、針の突出長さ調整時における針刺し事故を防止することができる。
【００４８】
尚、本発明は前記第１〜第４の実施の形態に限定されない。
まず、前記第１〜第４の実施の形態の場合には、４本針の構成を例に挙げて説明したが、１本、２本、３本、５本以上の場合も考えられる。
又、前記第１〜第４の実施の形態の場合には、アジャスターを螺合構造により移動可能に構成したが、それに限定されるものではなく、例えば、適度な嵌め合い構造により移動可能にしても良い。
又、前記第２の実施の形態において、縦割溝をアジャスター側基準位置マーカーとして用いることも考えられる。
又、前記第２の実施の形態の場合には、ストッパー機構によりアジャスターによる針の確実な格納とアジャスターの脱落防止を図るようにしたが、針の突出長さを所定範囲に制限する目的で使用する構成も考えられる。例えば、使用前の初期状態において、針の突出長さを４ｍｍに設定しておき、アジャスターの前進がストッパー機構により制限された時の針の突出長さを１ｍｍとする、といった構成である。
又、前記第１〜第４の実施の形態の場合には、アジャスターを先端側を真正面から視て反時計方向に回転させることにより針の突出長さを短くするように構成したが、その逆向きでも良い。
又、前記第１〜第４の実施の形態の場合には、アジャスターを中空円筒形状としたがそれに限定されるものではなく、例えば、四角形、その他の形状でも良い。例えば、四角形にした場合であって、１回転で１ｍｍ変化する場合であれば、９０°回転させることにより１／４ｍｍだけ突出長さを変えることができる。
又、前記第１〜第４の実施の形態の場合には、キャップを外した状態でアジャスターを回転させて針の突出長さを調整するようにしたが、キャップを被冠させたままの状態で調整するようにしても良い。それによって針刺し事故の発生を防止することができる。
又、アジャスター或いは針基に成形或いは印刷により針の突出長さの目安となる目盛を設けても良い。
又、前記第１〜第４の実施の形態においては、針の薬液流出口を放射方向内向きとしたがそれに限定されるものではない。
又、前記第４の実施の形態においては、針基側嵌合部とアジャスター側嵌合部を反対向きに設けたが、針基側嵌合部のみを設けた構成も考えられる。その際、キャップを所定量先端側に引くことにより針基側嵌合部の針基側への嵌合を解除して、アジャスターに嵌合するように構成することも考えられ、その状態でキャップ毎アジャスターを回転させて針の突出長さを調整しても良い。
例えば、第４の実施の形態の場合には、図２９（ｂ）に示す状態において、係合用開口部２１３はアジャスター側の係合用凸部に係合しているが、上記係合用開口部２１３の軸方向長さを長くしておき、キャップを所定量先端側に引いて針基側嵌合部の針基側への嵌合を解除しても、係合用開口部２１３のアジャスター側の係合用凸部に対する係合状態を維持できる構成にしておけば、その状態でキャップ毎アジャスターを回転させて針の突出長さを調整することができる。
又、別の例として、第４の実施の形態を示す図２９（ｂ）に示す状態において、係合用開口部２１３がアジャスター側の係合用凸部を通り過ぎて係合しない構成とし、キャップを所定量先端側に引いて針基側嵌合部の針基側への嵌合を解除したとき、係合用開口部２１３がアジャスター側の係合用凸部に係合するような構成にしておくことも考えられる。この場合にも、その状態でキャップ毎アジャスターを回転させて針の突出長さを調整することができる。
その他、図示した構成はあくまで一例である。
【産業上の利用可能性】
【００４９】
本発明は、例えば、皮下又は皮内に目的物質を投与して種々の疾患の予防や治療を行うための注射針と注射装置に係り、特に、針による穿刺深さを調整できるように工夫したものに関し、例えば、美容皮膚科の治療に用いる注射針と注射装置に好適である。
【符号の説明】
【００５０】
１  注射装置
３  シリンジ
５  注射針
２１  針基
２３  針
２３ａ  薬液流出孔
２５  アジャスター
３３  雄ネジ部
３９  雌ネジ部
４０ａ  針基側基準位置マーカー
４９ｂ  アジャスター側基準位置マーカー
４１  キャップ
５１  アジャスター側ストッパー（ストッパー機構の一部）
５３  針基側ストッパー（ストッパー機構の一部）
５５  縦割溝
【図１】
2019203298.tif 000003
【図２】
2019203298.tif 000004
【図３】
2019203298.tif 000005
【図４】
2019203298.tif 000006
【図５】
2019203298.tif 000007
【図６】
2019203298.tif 000008
【図７】
2019203298.tif 000009
【図８】
2019203298.tif 000010
【図９】
2019203298.tif 000011
【図１０】
2019203298.tif 000012
【図１１】
2019203298.tif 000013
【図１２】
2019203298.tif 000014
【図１３】
2019203298.tif 000015
【図１４】
2019203298.tif 000016
【図１５】
2019203298.tif 000017
【図１６】
2019203298.tif 000018
【図１７】
2019203298.tif 000019
【図１８】
2019203298.tif 000020
【図１９】
2019203298.tif 000021
【図２０】
2019203298.tif 000022
【図２１】
2019203298.tif 000023
【図２２】
2019203298.tif 000024
【図２３】
2019203298.tif 000025
【図２４】
2019203298.tif 000026
【図２５】
2019203298.tif 000027
【図２６】
2019203298.tif 000028
【図２７】
2019203298.tif 000029
【図２８】
2019203298.tif 000030
【図２９】
2019203298.tif 000031
【国際調査報告】
2019203298.tif 000032
2019203298.tif 000033
2019203298.tif 000034
2019203298.tif 000035